(57)【要約】【課題】ボルトやナット等の締具の締込み初期（又は緩め終期）において、ラチェット機構の空転摩擦力に左右されることなく、締込み（又は緩め）できる回転手段を設けたラチェット型締付工具において、該回転手段が把手（把持部）を握った手の指１本で回転され得るラチェット型締付工具及び該工具用回転手段を提供すること。【解決手段】把持部１７を一体とし、ラチェット機構を内蔵する頭部１６で、該ラチェット機構により一方向へ回転力を伝達するように軸支される回転軸１８において、該回転軸１８に設けられる回転手段は、所要肉厚の盤体１の周縁に花弁状に複数片突出する長尺な突出片２と、溝底を前記頭部１６の外周近傍に配して該突出片２と突出片２の間に連続して設けられる係止溝３と、前記盤体１の中心部に配設される回転軸１８への係着手段とから成り、該係着手段が回転軸１８の軸端に外嵌する係合孔１１や、該回転軸１８の軸心に配設される締具への嵌着孔１９に嵌着する嵌着部４、６などである。【選択図】　　　　　図９
2004017277.tif 000002
【特許請求の範囲】
【請求項１】
把持部に一体の頭部において、該頭部に内蔵されるラチェット機構により、一方向へ回転力を伝達する回転軸に回転手段を設けて成るラチェット型締付工具において、
回転手段が所要肉厚の盤体の周縁に花弁状に複数片突出する長尺な突出片と、溝底を前記頭部外周近傍に配して該突出片間に連続して設けられる深い係止溝と、中心部で垂下され、前記回転軸の締具への嵌着孔に嵌着する所要形状の短尺な嵌着部とから成り、把持部を握った手の指１本で容易に回転軸を回転できることを特徴とするラチェット型締付工具。
【請求項２】
嵌着部が弾性変形自在で所要の摩擦力を有して成る請求項１記載のラチェット型締付工具。
【請求項３】
嵌着部が中央部軸心方向に沿って、所要締具の軸部を挿通させる挿通孔を有して成る請求項１又は２記載のラチェット型締付工具。
【請求項４】
把持部に一体の頭部において、該頭部に内蔵されるラチェット機構により、一方向へ回転力を伝達する回転軸に回転手段を設けて成るラチェット型締付工具において、
回転手段が所要肉厚の盤体の周縁に花弁状に複数片突出する長尺な突出片と、溝底を前記頭部外周近傍に配して該突出片間に連続して設けられる深い係止溝と、中心部に配設され、前記回転軸に外嵌する所要形状の係合孔とから成り、把持部を握った手の指１本で容易に回転軸を回転できることを特徴とするラチェット型締付工具。
【請求項５】
係合孔が弾性変形自在で所要の摩擦力を有して成る請求項４記載のラチェット型締付工具。
【請求項６】
把持部に一体の頭部において、該頭部に内蔵されるラチェット機構により、一方向へ回転力を伝達する回転軸に、ボルト、ナット等の締具に係合する係合孔を有するソケットを着脱自在に係合して成るラチェット型締付工具において、
前記ソケットの外周に回転手段が着脱自在に係合され、該回転手段が所要肉厚の盤体の周縁に花弁状に複数片突出する長尺な突出片と、溝底を前記頭部外周近傍に配して該突出片間に連続して設けられる深い係止溝と、中心部に配設され、前記ソケットに外嵌する弾性変形自在で所要の摩擦力を有する係合孔とから成り、把持部を握った手の指１本で、容易に回転軸を回転できることを特徴とするラチェット型締付工具。
【請求項７】
所要肉厚の盤体の周縁に花弁状に複数片突出する長尺な突出片と、溝底を前記頭部外周近傍に配して該突出片間に連続して設けられる深い係止溝と、中心部で垂下され、前記回転軸の締具への嵌着孔に嵌着する短尺な嵌着部とから成るラチェット型締付工具用回転手段。
【請求項８】
嵌着部が弾性変形自在で所要の摩擦力を有して成る請求項７記載のラチェット型締付工具用回転手段。
【請求項９】
嵌着部が中央部軸心方向に沿って、所要締具の軸部を挿通させる挿通孔を有して成る請求項７又は８記載のラチェット型締付工具用回転手段。
【請求項１０】
所要肉厚の盤体の周縁に花弁状に複数片突出する長尺な突出片と、溝底を前記頭部外周近傍に配し該突出片間に連続して設けられる深い係止溝と、中心部に配設される所要形状の係合孔とから成るラチェット型締付工具用回転手段。
【請求項１１】
係合孔が弾性変形自在で所要の摩擦力を有して成る請求項１０記載のラチェット型締付工具用回転手段。
【発明の詳細な説明】
【０００１】
【発明の属する技術分野】
本発明は、把手の自由戻り用ラチェット型の手工具に関する。
【０００２】
【従来の技術】
ラチェット機構を有するレンチやスパナでナットやボルトなどの締具を締結する場合に、仮締め状態（締込み初期）の締具は、ラチェットの空転摩擦力より螺合摩擦力（締付力）が小さいため、空転方向へ一緒に共回りすることとなり、レンチやスパナ全体を締込み方向にのみ回すか、作業者が手で締具を締込むなどの作業が強いられ、作業能率が悪いものであった。
そこで、ラチェット歯車板とソケット間に、ラチェット歯車板と共回りするように、該ラチェット歯車板に突設する矩形断面の棒体状の連結部にその矩形孔部を嵌合した補助回転板を設け、締具の締込み初期では該補助回転板を指で送りながら回転させる発明（特開０８−１４１９２０号）が提案されている。
また、一方の手で握ったレンチの把持部を回転させずに、前記締具に係合するソケット部に固定したノブ部材を回転し、その手を持ち変えて把持部を回転させる発明（特開２００１−３４７４６５号）が提案されている。
ところで、前者（特開０８−１４１９２０号発明）は、補助回転板の外周面に設けられた滑り止め部が、図面から判断しても浅い溝部であり、指で送りながら回転させるとは言うものの、油に汚れた手ではその指１本で回すには難しいものであり、後者（特開２００１−３４７４６５号発明）では、ノブ部材をソケット部の端にネジ締め固定するものであるから、既存のソケット部への取着ができない点で難点があり、さらに、該ノブ部材は掌に握られて使用されるものであるため、締込み初期ではノブ部材と把持部の持ち変えなどの煩わしい面もある上、ノブ部材の周縁の形状は、把持部を握った手の指１本で操作する技術思想で達成されたものではない。
【０００３】
【発明が解決しようとする課題】
本発明は上記従来技術に鑑みて、ボルトやナット等の締具の締込み初期（又は緩め終期）において、ラチェット機構の空転摩擦力に左右されることなく、締込み（又は緩め）できる回転手段を設けたラチェット型締付工具において、該回転手段が把手（把持部）を握った手の指１本で回転され得るラチェット型締付工具及び該工具用回転手段を提供するものである。
【０００４】
【課題を解決するための手段】
すなわち、第１発明のラチェット型締付工具は、把持部に一体の頭部において、該頭部に内蔵されるラチェット機構により、一方向へ回転力を伝達する回転軸に回転手段を設けて成るラチェット型締付工具において、
回転手段が所要肉厚の盤体の周縁に花弁状に複数片突出する長尺な突出片と、溝底を前記頭部外周近傍に配して該突出片間に連続して設けられる深い係止溝と、中心部で垂下され、前記回転軸の締具への嵌着孔に嵌着する所要形状の短尺な嵌着部とから成る。
第２発明のラチェット型締付工具は、第１発明のラチェット型締付工具において、
回転手段の嵌着部が弾性変形自在で所要の摩擦力を有して成る。
第３発明のラチェット型締付工具は、第１発明又は第２発明のラチェット型締付工具において、
回転手段の嵌着部が中央部軸心方向に沿って、所要締具の軸部を挿通させる挿通孔を有して成る。
第４発明のラチェット型締付工具は、把持部に一体の頭部において、該頭部に内蔵されるラチェット機構により、一方向へ回転力を伝達する回転軸に回転手段を設けて成るラチェット型締付工具において、
回転手段が所要肉厚の盤体の周縁に花弁状に複数片突出する長尺な突出片と、溝底を前記頭部外周近傍に配して該突出片間に連続して設けられる深い係止溝と、中心部に配設され、前記回転軸に外嵌する所要形状の係合孔とから成る。
第５発明のラチェット型締付工具は、第４発明のラチェット型締付工具において、
回転手段の係合孔が弾性変形自在で所要の摩擦力を有して成る。
また、第６発明のラチェット型締付工具は、把持部に一体の頭部において、該頭部に内蔵されるラチェット機構により、一方向へ回転力を伝達する回転軸に、ボルト、ナット等の締具に係合する係合孔を有するソケットを着脱自在に係合して成るラチェット型締付工具において、
前記ソケットの外周に回転手段が着脱自在に係合され、該回転手段が所要肉厚の盤体の周縁に花弁状に複数片突出する長尺な突出片と、溝底を前記頭部外周近傍に配して該突出片間に連続して設けられる深い係止溝と、中心部に配設され、前記ソケットに外嵌する弾性変形自在で所要の摩擦力を有する係合孔とから成る。
さらに、第７発明のラチェット型締付工具用回転手段は、所要肉厚の盤体の周縁に花弁状に複数片突出する長尺な突出片と、溝底を前記頭部外周近傍に配して該突出片間に連続して設けられる深い係止溝と、中心部で垂下され、前記回転軸の締具への嵌着孔に嵌着する所要形状の短尺な嵌着部とから成る。
さらに、第８発明のラチェット型締付工具用回転手段は、第７発明のラチェット型締付工具用回転手段において、
回転手段の嵌着部が弾性変形自在で所要の摩擦力を有して成る。
さらに、第９発明のラチェット型締付工具用回転手段は、第７発明又は第８発明のラチェット型締付工具用回転手段において、
回転手段の嵌着部が中央部軸心方向に沿って、所要締具の軸部を挿通させる挿通孔を有して成る。
さらに、第１０発明のラチェット型締付工具用回転手段は、所要肉厚の盤体の周縁に花弁状に複数片突出する長尺な突出片と、溝底を前記頭部外周近傍に配して該突出片間に連続して設けられる深い係止溝と、中心部に配設される所要形状の係合孔とから成る。
さらに、第１１発明のラチェット型締付工具用回転手段は、第１０発明のラチェット型締付工具用回転手段において、
回転手段の係合孔が弾性変形自在で所要の摩擦力を有して成る。
【０００５】
【発明の実施の形態】
回転手段における嵌着部は、材質面では盤体と同一材質で一体に成形されるものから、ゴム質系のもので該盤体に接着又はビス止めなどで接合されるものなどであり、形状や構造面では、締具へ嵌着される回転軸の嵌着孔に嵌着する多角形状の外周輪郭を形成するものや、該外周輪郭を円錐台状に形成するもの、或は中心部軸心方向に沿って締具の軸部を挿通させるための挿通孔を配設するもの、このほか、該挿通孔の中心から放射状に外周輪郭に向けて分割溝を均等に配設したものなどである。
したがって、材質と該材質に相応する形状との関係では、前記盤体と同一材質で一体に成形される嵌着部は、該盤体の回転時に要求される剛性（ラチェットの空転摩擦力に抗する強度）を有するものであるから、その外周輪郭は前記の多角形状に形成されるものであり、ゴム質系のもので盤体に接合される嵌着部は、その外周輪郭が円錐台状（剛性の程度によっては多角形状でも可）に形成されて、締具への嵌着孔に対して所要の締代を介して前記ラチェットの空転摩擦力に抗する摩擦力を発現させるものであり、さらには、外周輪郭を円錐台状に形成するとともに、中心部に前記挿通孔を配設し、その周部を内外に切断した分割溝により、締具への嵌着孔に圧入した時の弾性変形を許容し、その反力によってラチェットの空転摩擦力に抗する摩擦力を発現させるものなどである。
また、回転手段における盤体の中心部に配設される係合孔は、材質面では該盤体と同一材質で一体に成形されるものから、ゴム質系のもので該盤体に接着又はビス止め、或は盤体に開口した嵌着口にその周縁が嵌着されるなどの係合部に形成されるものなどであり、形状面では、回転軸に形成される横断面視矩形の棒体状の連結部に嵌着する角孔や多角形状のものから丸孔まで選択され、構造的には前記盤体と一体で同一肉厚の深さであるものから、該盤体に一体のボス部を含む深さを有するもの、及び盤体に接合されるゴム質系のリング状の係合部に内設されるもの、ゴム質系の縦断面視逆皿状に形成された係合部に内設されるもの、前記逆皿状に形成された係合部の底面に配設した分割片の開口内周面で形成されるものなどである。
さらに、盤体の周縁に花弁状に突出する複数片の突出片は、その突出外径が８０ｍｍ前後で、溝底配設径が５０ｍｍ前後であり、その数は８個が指１本で回転するには好都合のものである。
【０００６】
【実施例】
本発明のラチェット型締付工具用回転手段としての回転盤ａについて、図面を参照して具体的に説明すると、図１（ａ）に示すように、厚さ２ｍｍの硬質プラスチック製（アルミ製など他の所要剛性を有する材質をも可とする。）の盤体１の周縁には花弁状に８個の長尺（突端外径寸法８２ｍｍ）な突出片２を突設するとともに、各突出片２の間に溝底配設径を４８ｍｍとして、人差し指或は親指の何れかの指１本を係止できる溝幅を形成する係止溝３を連続して設け、中心部には図１（ｂ）に示すように、所要テーパ（１／１２〜１／６）の逆円錐台状でゴム質の弾性変形自在で短尺な嵌着部４を、中心に凹設した取付け孔５を介してビスとナットで接合してなる。
また、回転盤ａは図２に示すように、前記ゴム質の嵌着部４に代えて、盤体１と同一材質で一体の所要対面寸法の六角柱状の嵌着部６を垂下したものでも提供される。
さらに、回転盤ａは図３に示すように、嵌着部４、６に締具の軸部を挿通させる挿通孔７を貫設したものとしても提供されるものであり、分図（ａ）に示したものは、盤体１と同一材質で一体に垂下され、輪郭形状が多角形状の嵌着部６に、前記挿通孔７を該盤体１をも貫通して設けたものであり、分図（ｂ）に示したものは、盤体１の中心に開口した嵌着口８にゴム質の嵌着部４の縮径部を内嵌し、該嵌着部４の盤体１の下面に垂下する部分を所要に縮径する円錐面９とするとともに、中心部に前記挿通孔７を貫設したものである。
なお、分図（ｃ）に示したものは、分図（ｂ）で示した嵌着部４の円錐面９を形成した下部に、その軸心に沿って挿通孔７の中心から放射状に該円錐面９に向けて所要均等の分割溝１０を配設したものである。
【０００７】
次に、回転盤ｂについて説明すると、図４に示すように、厚さ２ｍｍの硬質プラスチック製（アルミ製など他の所要剛性を有する材質をも可とする。）の盤体１の周縁には花弁状に８個の長尺（突端外径寸法８２ｍｍ）な突出片２を突設するとともに、各突出片２の間に溝底配設径を４８ｍｍとして、人差し指或は親指の何れかの指１本を係止できる溝幅を形成する係止溝３を連続して設け、中心部には、分図（ａ）に示したものは、所要孔径の角孔からなる係合孔１１が貫設され、分図（ｂ）に示したものは、所要対面寸法の六角孔からなる係合孔１１が貫設されたものであり、分図（ｃ）に示したものは、前記の係合孔１１が盤体１の下面に一体に垂下されたボス部１２を含んで貫設されたものである。このほか、係合孔１１を丸孔としても提供される。
また、図５に示した回転盤ｂについて説明すると、分図（ａ）に示したものは、図４に示す平面形状で、係合孔１１が盤体１の下面に接合されるゴム質のリング状の係合部１３の内周面に形成された、弾性変形自在な丸孔であり、分図（ｂ）に示したものは、分図（ａ）と同一平面形状で、係合孔１１が盤体１の下面に接合されるゴム質の逆皿状の係合部１３の内周面に形成された、弾性変形自在な丸孔である。
さらに、分図（Ａ）に示したものは、前記分図（ａ）に示した係合孔１１を、盤体１の中心に貫設した挿通孔７に連通させたものであり、分図（Ｂ）に示したものは、前記（ｂ）に示した係合孔１１を、係合部１３の底面から盤体１を貫通して設けた挿通孔７に連通させたものである。
さらに、図６に示した回転盤ｂについて説明すると、分図（ｂ）に示すように、盤体１の中心に開口した嵌着口８にゴム質で逆皿状の凹部を形成した係合部１３の縮径部（断面コ形のリング溝部）を内嵌し、その底面１４に分図（ａ）に示すように、中心から放射状に内周面に向けて８分割の分割片１５を刻設して成るものであり、この場合の係合孔１１は、前記凹部の内周面及び該分割片１４の開口内周面に形成されるのである。
【０００８】
次に、本発明のラチェット型締付工具Ａについて図面を参照して具体的に説明すると、図７に示すように、両端の頭部１６と、両頭部１６を一体とする把持部１７とから成り、各頭部１６にラチェット機構（図外）により一方向へ回転する回転軸１８を軸支し、該回転軸１８の中央部にボルトやナットなどの締具に嵌着して回転締付力を伝達する嵌着孔１９を貫設し、両軸端を頭部１６の上下面よりそれぞれ所要に突出して成るラチェット型締付工具において、所要頭部１６の締付けに使用しない側（上側）の嵌着孔１９に、前記回転盤ａの該嵌着孔１９に見合う逆円錐台状の嵌着部４を所要の押圧力で着脱自在に押込み嵌着して成る。
したがって、前記回転盤ａの嵌着部４は弾性変形しつつ嵌着孔１９に押込まれるから、両者間にラチェット機構の空転摩擦力より大なる摩擦力が発現し、しかも、各突出片２が頭部１６の外周よりかなり長く突出しているから、把持部１７を握る手の人差し指又は親指の何れか１本の指を回転盤ａの係止溝３に係止し、突出片２にこの指１本を掛けて引き込めば該回転盤ａはその分回転し、順次に繰り出される突出片２を指１本で引き込むことにより、回転盤ａは断続的に回転するのである。
その結果、回転軸１８は摩擦力によって回転盤ａと共回りし、締付け初期状態であれば、極めて簡単に締具を締付けでき、緩め終期であれば同様に簡単に締具を脱却できるのである。
【０００９】
また、本発明のラチェット型締付工具Ｂを実施例により説明すると、図８に示すように、両端の頭部１６と、両頭部１６を一体とする把持部１７とから成り、各頭部１６にラチェット機構（図外）により一方向へ回転する回転軸１８を軸支し、該回転軸１８の中央部にボルトやナットなどの締具に嵌着して回転締付力を伝達する嵌着孔１９を貫設し、両軸端を頭部１６の上下面よりそれぞれ所要に突出して成るラチェット型締付工具において、所要頭部１６の締付けに使用しない側（上側）の軸端外周に、前記回転盤ｂの盤体１の下面に接合したゴム質で逆皿状の係合部１３の内周面に形成された係合孔１１を弾性変形させつつ押圧外嵌して成る。
したがって、このラチェット型締付工具Ｂにおいても、係合孔１１において回転軸１８と所要の摩擦力で回転盤ｂが接合されるから、頭部１６の持ち変えや両手を使用することなく、極めて簡単に指１本で締具の初期締込み、脱却ができるのである。
【００１０】
さらに、ラチェット型締付工具Ｂの他の実施例について説明すると、図９に示すように、一端の頭部１６と、該頭部１６に一体の把持部１７とから成り、該頭部１６にラチェット機構（図外）により一方向へ回転する回転軸１８を軸支し、該回転軸１８の中央部にボルトやナットなどの締具に嵌着して回転締付力を伝達する嵌着孔１９を貫設し、両軸端を頭部１６の上下面よりそれぞれ所要に突出して成るラチェット型締付工具において、回転軸１８の締付けに使用しない側（上側）の軸端外周に、前記図６に示した回転盤ｂの係合部１３の凹部を外嵌するとともに、底面１４の分割片１５を弾性変形によりこじあけてその開口内周面を係合孔１１として所要の摩擦力を発現させて接合して成る。
したがって、前記摩擦力を介して回転軸１８が回転盤ｂの回転と共回りし、極めて簡単に分図（ｃ）に示すように、人差し指の指１本で締具の初期締込み、脱却（図外の親指の操作による）ができるのである。
【００１１】
図１０に示したラチェット型締付工具ｃについて説明すると、一端の頭部１６と、該頭部１６に一体の把持部１７とから成り、該頭部１６にラチェット機構（図外）により一方向へ回転する回転軸１８を軸支し、該回転軸１８の下方軸端を角軸２０として垂下し、該角軸２０に円筒状のソケット２１を嵌着し、該ソケット２１の下方に締具への嵌着孔１９を形成して成るラチェット型締付工具において、前記ソケット２１の外周に前記図６に示した回転盤ｂの係合部１３の凹部を外嵌するとともに、底面１４の分割片１５をこじあけてその開口内周面を係合孔１１として所要の摩擦力（空転摩擦力より大なる摩擦力）を発現させて接合して成る。
この場合は、回転盤ｂが頭部１６の下側に位置するものであるが、分図（ｂ）に示すように、ソケット２１の上部に回転に関与する突出片２と係止溝３を配設した盤体１があるので、把持部１７を握った状態で人差し指又は親指の何れか１本の指使用には支障がないのである。
なお、締具の初期締込みの場合、右ネジであればラチェット機構の切り換えにより、把持部１７の右回転が回転締付力伝達となり、左回転が空転摩擦力を伴った空転として操作されるが、このとき、締具への結合に関与する回転軸１８は右回転フリーであるから右利きの者であれば右手の人差し指で回転盤ｂの突出片２を引き込んで回転軸１８を右回転させ、初期締込みを迅速に処理し、回転盤ｂがスリップする時点から把持部１７による本締めとなり、緩め終期では、ラチェット機構の切り換えにより、把持部１７の左回転が回転力伝達となり、回転軸１８は左回転フリーであるから、右手の親指で突出片２を引き込み回転軸１８を左回転させて締具を迅速に脱却できるのである。左利きの者であれば、同一締具の条件下では、前記人差し指と親指の使い方が逆となり、初期締込み時の右回転では親指を使い、緩め終期では人差し指により左回転させるものである。
このほか、頭部１６にラチェット機構（図外）を介して軸支される回転軸１８に、上下からそれぞれ所要サイズの締具への嵌着孔１９を連通したものでは、ボルトの軸部を上方に突出させた状態のナットを締込んだり、緩めたりできるものであるから、そのような場合には、図５の分図（Ａ）、（Ｂ）に示すような、係合部１３に前記軸部を挿通できる挿通孔７を盤体１と共に貫設した回転盤ｂを装着したラチェット型締付工具や、回転軸１８に垂下する角軸２０にソケット２１を接合するラチェット型締付工具において、該ソケット２１と頭部下面間で該角軸２０に前記図４（ａ）で示した回転盤ｂを嵌着したラチェット型締付工具なども提供され得るものである。
要は、人差し指か親指の何れか１本の指で回転できる回転盤ａ、ｂを、従来のラチェット型締付工具の回転軸１８の軸端（丸軸、角軸、その他多角形軸等の軸端）に外嵌接合したり、該回転軸１８の中心部に配設される締具への嵌着孔１９に嵌着又は押圧嵌着したり、回転軸１８に接合するソケット２１に外嵌接合したラチェット型締付工具が、本発明で提供しようとするものであり、本実施例で示したものは、その一例に過ぎないものである。また、本発明の回転盤は、従来から提供されているラチェット型締付工具の各能力に対応して嵌着部４、６や係合孔１１が各種の仕様で提供されるのであるから、既存の該工具に即応して使用できるものであり、実用上極めて有益である。このほか、回転盤ｂをソケット２１に一体に接合したものなどは、本発明から容易に想起され得るものである。
【００１２】
【発明の効果】
以上のように本発明によれば、回転盤においては、従来のラチェット型締付工具の回転軸の軸端の外径又は内径等の仕様に対応して提供されるから、既存の前記工具に即応して使用できる上、突出片と突出片間の係止溝に人差し指か親指の何れか１本の指が係止され、該突出片をその指１本で順次に引き込みながら回転できるから、簡単確実に締具の初期締込み、脱却に極めて実用上有益に寄与するものであり、また、該回転盤を装着したラチェット型締付工具においては、把持部を握る手を持ち変えることなく、握ったままの手の指１本で締具の初期締込み、脱却ができるから作業能率も特段に向上するものである。
【図面の簡単な説明】
【図１】本発明の回転盤ａの説明図で、（ａ）はその平面図であり、（ｂ）は（ａ）のＡ−Ａ矢視断面図である。
【図２】同回転盤ａの他の実施例を示し、天地を逆にした斜視図である。
【図３】同回転盤ａのさらなる他の実施例を示し、（ａ）は盤体１と嵌着部６とが一体で中心に挿通孔７を貫設したものの縦断面図であり、（ｂ）は盤体１に嵌着部４を接合し、中心に挿通孔７を貫設したものの縦断面図であり、（ｃ）は（ｂ）において嵌着部４に分割溝１０を配設したものである。
【図４】本発明の回転盤ｂの説明図であり、（ａ）、（ｂ）はその平面図であり、（ｃ）は盤体１にボス部１２を垂下した場合の縦断面図である。
【図５】同回転盤ｂの他の実施例を示す説明図であり、（ａ）、（ｂ）はその縦断面図であり、（Ａ）、（Ｂ）はそれぞれ（ａ）、（ｂ）のものに挿通孔７を貫設したものである。
【図６】同回転盤ｂのさらなる他の実施例を示す説明図であり、（ａ）はその平面図であり、（ｂ）はその縦断面図である。
【図７】本発明のラチェット型締付工具Ａの説明図であり、（ａ）はその平面図であり、（ｂ）は（ａ）の正面図である。
【図８】本発明のラチェット型締付工具Ｂの説明図であり、（ａ）はその平面図であり、（ｂ）は（ａ）の正面図である。
【図９】同ラチェット型締付工具Ｂの他の実施例としての説明図であり、（ａ）はその平面図であり、（ｂ）は（ａ）の正面図であり、（ｃ）は使用状態の平面図である。
【図１０】同ラチェット型締付工具ｃの説明図であり、（ａ）はその平面図であり、（ｂ）は（ａ）の正面図である。
【符号の説明】
１　盤体
２　突出片
３　係止溝
４　嵌着部
５　取付け孔
６　嵌着部
７　挿通孔
８　嵌着口
９　円錐面
１０　分割溝
１１　係合孔
１２　ボス部
１３　係合部
１４　底面
１５　分割片
１６　頭部
１７　把持部
１８　回転軸
１９　嵌着孔
２０　角軸
２１　ソケット
ａ、ｂ、　回転盤
Ａ乃至Ｃ　ラチェット型締付工具
【図１】
2004017277.tif 000003
【図２】
2004017277.tif 000004
【図３】
2004017277.tif 000005
【図４】
2004017277.tif 000006
【図５】
2004017277.tif 000007
【図６】
2004017277.tif 000008
【図７】
2004017277.tif 000009
【図８】
2004017277.tif 000010
【図９】
2004017277.tif 000011
【図１０】
2004017277.tif 000012